(57)【要約】　　　（修正有）【課題】発光により夜間や暗所において視覚的に優れた応援が可能であるばかりか、安全かつ軽量で保管や携行に便利であるとともに発音による応援効果を発揮することができ、且つ表面にキャラクターや各種の図柄を配することを可能な応援具を提供する。【解決手段】軸に沿って筒状の嵌挿孔２２を形成する透光性の軟質シート材により形成された気密性を有する棒状中空体の応援具本体２と、前記嵌挿孔２２に挿脱自由に嵌め込まれる棒状発光体３とからなる。【選択図】　　図１
0003099832.tif 000002
【実用新案登録請求の範囲】
【請求項１】
軸に沿って筒状の嵌挿孔を形成する透光性の軟質シート材により形成された気密性を有する棒状中空体の応援具本体と、前記嵌挿孔に挿脱自由に嵌め込まれる棒状発光体とからなることを特徴とする応援具。
【請求項２】
前記棒状発光体が化学発光または発光ダイオードにより発光する請求項１記載の応援具。
【請求項３】
前記応援具本体に空気孔とその蓋体とが設けられている請求項１または２記載の応援具。
【請求項４】
前記応援具本体の少なくとも表面が半透光性を有する請求項１，２または３記載の応援具。
【請求項５】
前記応援具本体の一部に繋着具が付設されている請求項１，２，３または４記載の応援具。
【請求項６】
前記応援具本体における嵌挿孔の出入口に軟質シート材により形成された中空円板状の抜け止め部材が設けられている請求項１，２，３，４または５記載の応援具。
【請求項７】
前記応援具本体の一部に応援具本体を振ったときに発音する発音具が付設または内装されている請求項１，２，３，４，５または６記載の応援具。
【考案の詳細な説明】
【０００１】
【考案の属する技術分野】
本考案は、野球やサッカー場などのスポーツ観戦あるいはコンサートなどのイベント会場において選手や出演者を応援する際に主として手に持って使用される応援具に関するものである。
【０００２】
【従来の技術】
従来、野球やサッカー場などのスポーツ観戦あるいはコンサートなどのイベント会場において選手や出演者を応援する際に各種の応援具が用いられており、殊に、夜間や照明を落とした客席などにおいて、発光体を用いたものが盛んに用いられている。
【０００３】
ところが、従来の発光体は、硬質の合成樹脂により形成された細い棒状体を呈している。
【０００４】
そのため、万一、振り回した場合などに顔などに当たったりして怪我をする心配があり、また、全体が細いので掴みにくく、例えばメガホン形やバット型の応援具のように表面に図柄などを描くことが困難であり、見栄えがよくない。更に、発光体を用いた応援具は暗所での点灯効果により視覚的な手段により応援をするだけものであり、発音による応援を兼ねるものはない。
【０００５】
【考案が解決しようとする課題】
本考案は、斯かる実情に鑑みてなされたものであって、発光により夜間や暗所において視覚的に優れた応援が可能であるばかりか、安全かつ軽量で保管や携行に便利であるとともに発音による応援効果を発揮することができ、且つ表面にキャラクターや各種の図柄を配することを可能　にする応援具を提供することを課題とするものである。
【０００６】
【課題を解決するための手段】
前記課題を解決するため本考案は、軸に沿って筒状の嵌挿孔を形成する透光性の軟質シート材により形成された気密性を有する棒状中空体の応援具本体と、前記嵌挿孔に挿脱自由に嵌め込まれる棒状発光体とからなることを特徴とする。
【０００７】
本考案は、軟質シート材により形成された気密性を有する棒状中空体であることから軽量で取り扱い易く、身体に当たっても安全である。また、棒状中空体を嵌める嵌挿孔は、気密性を有する軟質シート材により形成されているので内部に充填した空気により内側方向へ膨らむことになり嵌挿孔に嵌めた棒状発光体が使用中に抜け落ちる心配がなく、棒状中空体の軸に沿って形成した筒状の嵌挿孔に嵌挿した棒状発光体の光が応援具本体の表面を透過して応援具が光っている状態となるばかりか、応援具本体の表面にキャラクター、文字、などの図柄などを描くこともできる。
【０００８】
前記考案において、前記棒状発光体が化学発光または発光ダイオードにより発光する場合には、小型でありながら輝度の高い点灯効果により優れた視覚効果を発揮することができる。
【０００９】
更に、前記考案において、前記応援具本体に空気孔とその蓋体とが設けられている場合には、使用時には空気孔を通して膨らませ、運搬や保管時には空気孔から応援具本体内部の空気を抜いて応援具本体を萎ませることにより容積が激減するのできわめて便利であり、特に、使用後に応援具本体を萎ませた状態とすることにより棒状発光体をきわめて容易に嵌挿孔から抜脱することができる。また、前記応援具本体の少なくとも表面が半透光性を有する場合には、棒状発光体からの光がそのまま外側から嵌挿孔に嵌挿した棒状発光体の形状そのものが表面に露呈することなく応援具本体をそのまま透過する場合と異なり、棒状発光体からの光が応援具本体に当たって散光し恰も応援具本体が発光しているような効果を発揮するので見栄えがよい。
【００１０】
更にまた、応援具は軟質シート材により形成された気密性を有する棒状中空体であるため、膨らませた状態で手や椅子などに打ち付けたとき、心地よい叩打音が生じるので応援効果が増す。殊に、例えば一対の応援具をそれぞれ一つずつ片手に持って互いに打ち付けることで更に心地よい応援音を発生させることもでき、応援具本体の一部に繋着具が付設されている場合には一対の応援具をそれぞれの繋着具において紐などで繋いでおくことにより一体化でき、使用時に限らず保管や携行にも便利である。
【００１１】
【考案の実施の形態】
次に、本考案の実施の形態について図面を参照して詳細に説明する。
【００１２】
図１及び図３は本考案についての好ましい実施の形態を示すものであり、応援具１は、主として応援具本体２と棒状発光体３とからなり、応援具本体２は例えばポリ塩化ビニルなどの投光性を有する軟質シート材により気密に形成された直径が７〜１０ｃｍ、長さが３０〜５０ｃｍ程度の棒状中空体であり、軸心に沿って例えば直径が１ｃｍ前後で一方の端部に出入口２１を有する筒状の嵌挿孔２２が形成されている。
【００１３】
また、応援具本体２の表面には空気孔２３とその蓋体２４とが設けられており、この空気孔２３を介して応援具本体２に空気を入れて膨らませ、或いは膨らんだ状態から中の空気を抜き取って萎んだ状態とすることができる。
でる。
【００１４】
一方、棒状発光体３は従来周知の硬質合成樹脂に形成された棒状容器に収容された発光物質を反応させて化学ルミネッセンス反応により発光させるものであり、前記応援具本体２に形成されている嵌挿孔２２の直径よりも僅かに大径であることが好ましい。
【００１５】
本実施の形態は、応援時には空気孔２３から空気を入れて応援具本体２を膨らませた状態とし、発光させた棒状発光体３を出入口２１から嵌挿孔２２に嵌挿する。このとき、軟質シート材により形成された嵌挿孔２２がの孔壁が内部に充填した空気により内側方向へ膨らむことになり嵌挿孔２２に棒状発光体３が押圧嵌挿されるので使用中に抜け落ちる心配がない。特に、本実施の形態では、嵌挿孔２２の出入口２１に中心に嵌挿孔２２よりも小径の透孔を有する軟質シート材により形成された中空円板状の抜け止め部材２５が溶着されているので応援時に応援具本体２を激しく振ったりしても棒状発光体３が抜け落ちる心配がない。
【００１６】
そして、応援具本体２に発光させた棒状発光体３を嵌挿した応援具１は、図３に示すように従来の硬質の合成樹脂により形成された棒状発光体３に比べて太く全体として大きな発光する応援具１を呈することにより応援効果が増加し、棒状発光体３の発した光が嵌挿孔２２および応援具本体２の表面２６を透過して応援具１の全体が発光する。殊に、少なくとも応援具本体２の表面２６の部分を半透明とする場合には例えば磨りガラスのように光が散乱して恰も応援具本体が発光しているような効果を発揮するので見栄えがよい。
【００１７】
また、応援具本体２の表面２６の部分にキャラクター、文字、などの図柄などを描くこともでき、透光性のある塗料を用いて印刷する場合には発光が更に生える。
【００１８】
本実施の形態は、応援時には例えば一端を掴んで振るようにして応援するが、応援具本体２が軟質シート材により中空に形成されているので軽量で取り扱い易く、身体に当たっても安全である。更に、手や椅子などに打ち付けたとき、応援具本体２内の空気が弾んでポンという心地よい叩打音が生じるので応援効果が増す。この際、応援具本体２への空気が充分に満たされていると好ましい音を得ることができ、加えて、本実施の形態では軸心に形成された嵌挿孔２２が共鳴して大きな音が生じる。更に、応援具本体２の表面２６または中空部に例えば鈴のような応援具本体２を振ったときに発音する発音具（図示せず）を付設または内装するとと一段と音とによる応援効果が増す。
【００１９】
そして、応援が終わったら、嵌挿孔２２に嵌挿してある棒状発光体３を出入口２１から抜き取り、空気孔２３から応援具本体２内部の空気を抜いて応援具本体２を萎ませることにより容積を減らして運搬、保管することによりできわめて便利である。特に、使用後に応援具本体２を萎ませた状態とすることにより棒状発光体３をきわめて容易に嵌挿孔２２から抜脱することもできる。
【００２０】
図４は本考案の異なる実施の形態を示すものであり、全体の構成は前記図１乃至図３に示した実施の形態とほぼ同様であるが、棒状発光体３が複数本の短尺の棒状発光体３１，３２，３３から構成される。従って、前記図１乃至図３に示した実施の形態のように長尺の棒状発光体３を使用する場合に比べて萎ませて折り畳み可能となった応援具本体２とともにコンパクトになり保管や携行が更に便利になるばかりか、例えば棒状発光体３１，３２，３３について異なる発光色のものを用いることも可能であり、この場合には長さ方向に異なる発光色を配置することができ、更に美麗なものである。
【００２１】
図５および図６は更に異なる実施の形態を示すものであり、前記図４に示した実施の形態と異なり、棒状発光体３が複数本の長尺の棒状発光体３４，３５，３６から構成される。従って、前記実施の形態と異なり小径の棒状発光体３４，３５，３６のものでも充分な発光効果を発揮させることができ、経済的にも有利であり、各棒状発光体３４，３５，３６の発光色を変化させて異なる美観を生じさせることもできる。
【００２２】
更に、図７は棒状発光体３の異なる実施の形態を示すものであり、棒状発光体３が電池式の発光ダイオード３７により形成されている点が異なる。このように考案は棒状の発光体であればその発行手段や形状は問わず、小型でありながら輝度の高い発光体を用いることにより優れた視覚効果を発揮することができる。
【００２３】
更にまた、図８は本考案の更に異なる実施の形態を示すものであり、一対の応援具１，１の各応援具本体２，２の一部に繋着具２４，２４が付設されており、これらの繋着具２４，２４を紐４などで繋いでおくことにより一体化したものであり、特に各応援具本体２，２を片方のずつの手に持って互いに打ち鳴らすなど優れた応援が可能であるとともに保管や携行にも便利である。
【００２４】
尚、前記各実施の形態は応援具本体２をポリ塩化ビニルのシート材により形成したが、透光性を有する軟質のシート材で気密性を有するものであれば他の材質によらり形成してもよい。また、前記各実施例は応援具本体２が円柱状であるが、例えば図９に示すようにバット型など他の形状であってもよい。
【００２５】
【考案の効果】
以上のように、本考案は、軽量で取り扱い易く、身体に当たっても安全である。また、嵌挿孔に嵌めた棒状発光体が使用中に抜け落ちる心配がなく、棒状中空体の軸に沿って形成した筒状の嵌挿孔に嵌挿した棒状発光体の光が応援具本体の表面を透過して応援具が光っている状態となるばかりか、応援具本体の表面にキャラクター、文字、などの図柄などを描くこともできる。
【００２６】
また、前記棒状発光体が化学発光または発光ダイオードにより発光する場合には、小型でありながら輝度の高い点灯効果により優れた視覚効果を発揮することができ、前記応援具本体に空気孔とその蓋体とが設けられている場合には、使用時には空気孔を通して膨らませ、運搬や保管時には空気孔から応援具本体内部の空気を抜いて応援具本体を萎ませることにより容積が激減するのできわめて便利であり、特に、使用後に応援具本体を萎ませた状態とすることにより棒状発光体をきわめて容易に嵌挿孔から抜脱することができる。更に、前記応援具本体の少なくとも表面が半透光性を有する場合には、棒状発光体からの光がそのまま外側から嵌挿孔に嵌挿した棒状発光体の形状そのものが表面に露呈することなく応援具本体をそのまま透過する場合と異なり、棒状発光体からの照射光が応援具本体に当たって散光し恰も応援具本体が発光しているような効果を発揮するので見栄えがよい。
【００２７】
更にまた、応援具は軟質シート材により形成された気密性を有する棒状中空体であるため、膨らませた状態で手や椅子などに打ち付けたとき、心地よい叩打音が生じるので応援効果が増す。殊に、例えば一対の応援具をそれぞれ一つずつ片手に持って互いに打ち付けることで更に心地よい応援音を発生させることもでき、応援具本体の一部に繋着具が付設されている場合には一対の応援具をそれぞれの繋着具において紐などで繋いでおくことにより一体化でき、使用時に限らず保管や携行にも便利である。
【図面の簡単な説明】
【図１】本考案の好ましい実施の形態を示す分解斜視図。
【図２】図１に示した実施の形態における縦断面図。
【図３】図１に示した実施の形態における異なる方向の拡大縦断面図。
【図４】棒状発光体が複数本である本考案の実施の形態における分解斜視図。
【図５】棒状発光体が複数本である本考案の異なる実施の形態における縦断面図。
【図６】棒状発光体が複数本である本考案の更に異なる実施の形態における縦断面図。
【図７】本考案の発光体が異なる実施の形態を示す縦断面図。
【図８】本考案の異なる使用状態を示す実施の形態を示す斜視図。
【図９】本考案の応援具本体の形状が異なる実施の形態を示す斜視図。
【符号の説明】
１　応援具、２　応援具本体、３　棒状発光体、４　紐、２１　出入口、２２嵌挿孔、２３　空気孔、２４　蓋体、２５　抜け止め部材、２６　表面
【図１】
0003099832.tif 000003
【図２】
0003099832.tif 000004
【図３】
0003099832.tif 000005
【図４】
0003099832.tif 000006
【図５】
0003099832.tif 000007
【図６】
0003099832.tif 000008
【図７】
0003099832.tif 000009
【図８】
0003099832.tif 000010
【図９】
0003099832.tif 000011